(57)【要約】【課題】ストロボあるいはファインダーユニット全体が変倍動作に伴って、傾いたり駆動負荷の増大を招くおそれのないズームストロボ装置およびズームファインダ装置を提供すること。【解決手段】閃光管と、該閃光管から放射される光を反射する反射傘と、前記閃光管と前記反射傘を保持するストロボ保持部材とを有し、カメラ本体に対して前記保持部材を撮影レンズの変倍動作に連動させて光軸方向に移動させカメラのズームストロボにおいて、カメラ本体を構成する部材を、前記ストロボ保持部材を光軸方向へ移動可能なようにガイドしてカメラ左右方向の移動規制を行うガイド手段と、カメラ上下方向への移動規制を行う規制手段とで一体的に形成し、前記ストロボ保持部材に前記ガイド手段に当接する複数の当接部を一体的に設けたこと。【選択図】　　　図３
2004037629.tif 000002
【特許請求の範囲】
【請求項１】
閃光管と、該閃光管から放射される光を反射する反射傘と、前記閃光管と前記反射傘を保持するストロボ保持部材とを有し、カメラ本体に対して前記保持部材を撮影レンズの変倍動作に連動させて光軸方向に移動させカメラのズームストロボにおいて、カメラ本体を構成する部材には、前記ストロボ保持部材を光軸方向へ移動可能なようにガイドしてカメラ左右方向の移動規制を行うガイド手段と、カメラ上下方向への移動規制を行う規制手段とが一体的に形成され、前記ストロボ保持部材には前記ガイド手段に当接する複数の当接部が一体的に設けられていることを特徴とするカメラのズームストロボ装置。
【請求項２】
撮影レンズの移動に連動して動作するカム部材を有し、該カム部材のカム溝に係合する駆動ピンが前記ストロボ保持部材に設けられ、前記カム部材の動作に連動して前記ストロボ保持部材が動作することを特徴とする請求項１に記載のカメラのズームストロボ装置。
【請求項３】
複数の前記当接部に囲まれた形状の範囲内に、前記駆動ピンが配置されていることを特徴とする請求項２に記載のカメラのズームストロボ装置。
【請求項４】
前記当接部は、前記駆動ピンに対して略対称となるように前記ストロボ保持部材に配置されていることを特徴とする請求項２に記載のカメラのズームストロボ装置。
【請求項５】
前記当接部は、光軸方向前後に少なくとも各１箇所づつ設けられていることを特徴とする請求項１〜４に記載のカメラのズームストロボ装置。
【請求項６】
前記当接部と前記ガイド手段が点接触するような形状を有していることを特徴とする請求項１〜５に記載のカメラのズームストロボ装置。
【請求項７】
前記当接部は、略円弧形状を有し、略円弧形状の頂点が前記ガイド手段に当接していることを特徴とする請求項６に記載のカメラのズームストロボ装置。
【請求項８】
前記当接部は、前記ストロボ保持部材のカメラ下面側に設けられていることを特徴とする請求項１〜７に記載のカメラのズームストロボ装置。
【請求項９】
前記規制手段は、前記当接部の形状と略合致するような切り欠き形状を有し、前記ストロボ保持部材がワイドからテレの動作区間内でカメラ上下方向への移動を規制するような形状を有していることを特徴とする請求項１〜８に記載のカメラのズームストロボ装置。
【請求項１０】
カメラ本体に対して光軸方向へ移動可能なファインダーレンズを有し、前記撮影レンズの変倍に伴って前記ファインダーレンズを光軸方向に移動させるカメラのズームファインダ装置において、前記カメラ本体を構成する部材には、前記ファインダーレンズを光軸方向へ移動可能にガイドしてカメラ左右方向の移動規制を行うガイド手段と、カメラ上下方向への移動規制を行う規制手段とが一体的に形成され、前記ガイド手段に当接する複数の当接部が前記ファインダーレンズに一体的に設けられていることを特徴とするカメラのズームファインダ装置。
【請求項１１】
撮影レンズの移動に連動して動作するカム部材を有し、該カム部材のカム溝に係合する駆動ピンが前記ファインダーレンズに設けられ、前記カム部材の動作に連動してファインダーレンズが動作することを特徴とする請求項１０に記載のカメラのズームファインダ装置。
【請求項１２】
複数の前記当接部に囲まれた形状の範囲内に、前記駆動ピンが配置されていることを特徴とする請求項１１に記載のカメラのズームファインダ装置。
【請求項１３】
前記当接部は、前記駆動ピンに対して略対称となるように前記ファインダ対物レンズに配置されていることを特徴とする請求項１１に記載のカメラのズームファインダ装置。
【請求項１４】
前記当接部は、光軸方向前後に少なくとも各１箇所づつ設けられていることを特徴とする請求項１０〜１３に記載のカメラのズームファインダ装置。
【請求項１５】
前記当接部と前記ガイド手段が点接触するような形状を有していることを特徴とする請求項１０〜１４に記載のカメラのズームファインダ装置。
【請求項１６】
前記当接部は、略円弧形状を有し、略円弧形状の頂点が前記ガイド手段に当接していることを特徴とする請求項１５に記載のカメラのズームファインダ装置。
【請求項１７】
前記当接部は、前記ファインダ対物レンズのカメラ下面側に設けられていることを特徴とする請求項１０〜１６に記載のカメラのズームファインダ装置。
【請求項１８】
前記規制手段は、前記当接部の形状と略合致するような切り欠き形状を有し、前記ファインダ対物レンズがワイドからテレの動作区間内でカメラ上下方向への移動を規制するような形状を有していることを特徴とする請求項１０〜１７に記載のカメラのズームファインダ装置。
【発明の詳細な説明】
【０００１】
【発明の属する技術分野】
本発明はカメラのストロボズーム装置、あるいはズームファインダ装置に関するものである。
【０００２】
【従来の技術】
従来のカメラにおいて、撮影レンズのズーム駆動に応じてストロボの照射角を変化させるズームストロボが一般的となっている。このズームストロボでは光源として発光する閃光管（例えばキセノン管）と、光を反射する反射傘と、光を集光または拡散するレンズなどで構成され、閃光管とレンズとの相対的な距離を変化させることで、照射角を変化させている。
【０００３】
そこで、この閃光管とレンズとの相対的な距離を変化させる機構として、撮影レンズのズーム駆動に連動してストロボズーム駆動、ファインダーズーム駆動を行う機構がある。例えば、特許２８２０１５８号公報、特公平４−５５４８７号公報などで開示されている機構では、撮影レンズ鏡筒のズーム駆動に連動してカムがワイド−テレ間を動き、このカムの動きに連動するようにファインダーレンズ、ストロボユニットがズーム動作している。特公平４−５５４８７号公報においては、カムが光軸と直交する方向へ動作し、ストロボユニットからカム溝に係合するような駆動ピンがカムに係合し、ストロボ光軸方向への動作をガイドするための直進ガイドがストロボ光軸と平行に形成されている。そのため、カムが作動するとストロボユニットは直進ガイドに沿ってストロボ光軸方向へ進退可能となっている。
【０００４】
また、特開平０９−２１１５７８号公報、特開２００１−０１３５５７号公報などで開示されているズームストロボ機構においては、ストロボユニットを光軸方向へガイドするガイドバーにより光軸方向へガイドされていることによりストロボユニットは光軸方向へ滑らかに進退可能となっている。
【０００５】
図１６は従来のズームストロボ機構の一例を示している。ストロボユニット４０はキセノン管、反射傘などで構成されストロボユニット４０の一部に駆動ピン３７が設けられている。この駆動ピン３７は駆動源からの回転を伝達するギア４３と一体的に構成されたカム４２のカム溝４２ｂと係合してストロボユニット４０に駆動力を伝達する。ストロボユニット４０が光軸方向へ進退する時に、ガイドバー５５はストロボユニット４０の一部と係合して光軸方向へガイドする。
【０００６】
同様に従来のズームファインダ機構においても、上述のズームストロボ機構のように対物レンズを光軸方向へ移動するためにガイドバーを設け、光軸方向のガイドとしている機構が一般的である。
【０００７】
【発明が解決しようとする課題】
上記の特公平４−５５４８７号公報に示されるストロボ機構では、光軸方向へガイドする直進ガイドに係合する係合部の形状に関して特に詳しく記述されてなく、ストロボユニットが光軸方向へ進退する過程で係合部のがたつきなどによりストロボユニット全体が傾いたり、駆動負荷の増大を招くおそれがある。
【０００８】
また、上記の特開平０９−２１１５７８号公報に示されるストロボ機構では、光軸方向へガイドするガイドバーにより光軸方向へガイドされ、ストロボユニットが光軸方向へ進退する過程で係合部のがたつきは比較的少なく抑えることができるが、部品点数の増大を招いている。
【０００９】
同様に、ファインダ機構においても光軸方向へガイドするガイドバーにより光軸方向へガイドされ、ストロボユニットが光軸方向へ進退する過程で係合部のがたつきは比較的少なく抑えることができるが、部品点数の増大を招いている。また、組み立て時にガイドバーに接眼レンズを一つずつはめ込まなければならず、作業性が良いとは言えない。
【００１０】
そこで本発明が解決すべき課題は、カメラを小型化し、かつ部品点数の少ない方法で光軸方向へ進退する過程で係合部のがたつきなどによりユニット全体が傾いたり駆動負荷の増大を招くおそれのないズームストロボ装置およびズームファインダ装置を提供することである。
【００１１】
【課題を解決するための手段】
本発明に係るカメラのズームストロボ装置では、閃光管と、該閃光管から放射される光を反射する反射傘と、前記閃光管と前記反射傘を保持するストロボ保持部材とを有し、カメラ本体に対して前記保持部材を撮影レンズの変倍動作に連動させて光軸方向に移動させカメラのズームストロボにおいて、カメラ本体を構成する部材には、前記ストロボ保持部材を光軸方向へ移動可能なようにガイドしてカメラ左右方向の移動規制を行うガイド手段と、カメラ上下方向への移動規制を行う規制手段とが一体的に形成され、前記ストロボ保持部材には前記ガイド手段に当接する複数の当接部が一体的に設けられているカメラのズームストロボ装置にある。
【００１２】
また、カメラ本体に対して光軸方向へ移動可能なファインダーレンズを有し、前記撮影レンズの変倍に伴って前記ファインダーレンズを光軸方向に移動させるカメラのズームファインダ装置において、前記カメラ本体を構成する部材には、前記ファインダーレンズを光軸方向へ移動可能にガイドしてカメラ左右方向の移動規制を行うガイド手段と、カメラ上下方向への移動規制を行う規制手段とが一体的に形成され、前記ガイド手段に当接する複数の当接部が前記ファインダーレンズに一体的に設けられているカメラのズームファインダ装置にある。
【００１３】
【発明の実施の形態】
（第１の実施例）
以下に本発明の第１の実施例について説明する。図１は本発明に関し、レンズ鏡筒とストロボを構成している部品の斜視図である。レンズ鏡筒２１は撮影レンズのズーム動作（変倍動作）に伴い、直進ピン２１１が直進溝２１２に沿ってカメラ前後方向（撮影レンズ光軸方向）に移動する。レンズ鏡筒２１の上部にカム板２３が設けられており、ズーム（変倍）すると直進ピン２１１の動作により図中右方向へ移動する。
【００１４】
カム板２３には、ストロボ用の駆動カム２３１と、ファインダーレンズ駆動用の複数の駆動カム２３２が設けられている。この２つのカムがレンズ鏡筒２１のズーム動作によりファインダーレンズ（不図示）とストロボユニット１を光軸に沿って移動させる。また、ファインダ保持板２２のレンズ保持部２２２に不図示のファインダ対物レンズが収納される。
【００１５】
ストロボは、パネル１１、レンズ１２、キセノン管１３、反射傘１４、ストロボ保持部材１５、押さえゴム１６で構成される。パネル１１とレンズ１２は光源から放射された光を集光、あるいは拡散する機能を持っている。キセノン管１３は不図示のリード線を介して電源に接続されており、光源として光を発する。反射傘１４は、キセノン管１３からの光を反射してカメラ前方へ導く。押さえゴム１６はキセノン管１３を反射傘１４に押し付ける役割をする。
【００１６】
レンズ１２、キセノン管１３、反射傘１４、押さえゴム１６は、ストロボ保持部材１５に組み込まれ、図２のようにストロボユニット１を構成する。このストロボユニット１がストロボ光軸方向へ進退するとパネル１１とレンズ１２との距離が変化するのでストロボの照射角が変化することになる。
【００１７】
ストロボユニット１を下方から見た図が図３である。ストロボ保持部材１５にはストロボ駆動カム２３１に係合する駆動ピン１５１と、複数の突起１５２（当接部）が一体的に設けられている。この突起１５２はファインダ保持板２２のレール２２１と係合するためのものである。さらに、ストロボ保持部材１５にはその上下面に突起１５３が設けられている。この突起１５３は、ズーム動作に時にファインダ保持板２２の一部分と当接しながらストロボ保持部材１５が光軸方向へ移動するのでストロボ保持部材１５は上下方向のがたつきが抑えられ、滑らかに移動可能となっている。また、この突起１５３と当接する部材はファインダ保持板２２でなくともよく、例えば外装に係る部材などでも同様の効果を得ることができる。
【００１８】
図４、図５にそれぞれストロボユニット１の断面図を示す。図４はストロボユニット１を横から見た断面図であり、図５はストロボユニット１を正面から見た断面図である。ストロボ保持部材１５の駆動ピン１５１は、カム板２３のストロボ駆動カム２３１と係合する。レール２２１にはストロボ保持部材１５の当接部１５２の上部を覆うように規制リブ２２１ａが設けられている。この規制リブ２２１ａは突起１５２が上方へ動くことを規制する。そのため、ストロボユニット１は上方への動作規制がなされる。
【００１９】
図６はストロボユニット１を上面側から見た図である。レール２２１の規制リブ２２１ａは、一部分に切り欠き２２１ｂが設けられている。このストロボユニット１をファインダ保持板２２に組み込む時は、突起１５２がこの切り欠き２２１ｂと合致するように上方からストロボユニット１を組み込むことができる。ストロボユニット１を組み込むと駆動ピン１５１がストロボ駆動カム２３１に係合する。この状態からカム板２３を図６中右方向へスライドさせると駆動ピン１５１がストロボ駆動カム２３１にガイドされレール２３１に沿ってカメラ後方（図６中の上方向）へ移動する。カメラの使用状態（レンズ鏡筒２１が沈胴、またはワイドからテレの間）ではストロボユニット１は突起１５２が切り欠き２２１ｂと合致しない範囲で動作する。
【００２０】
そのため、組み込み時は上方から突起１５２が切り欠き２２１ｂとが合致するようにファインダ保持板２２に組み込まれ、組み込みが終了してカム板２３をカメラ使用状態にした後、突起１５２は規制リブ２２１ａによって、ストロボユニット１はカメラ上下方向の動作を規制される。したがってカメラの使用状態ではレール２２１に沿って光軸前後に滑らかに進退すると共に、カメラ上下方向の移動規制が設けられているので、ズーム動作時の上下方向のがたつきを抑えることができる。
【００２１】
図７はレンズ鏡筒２１がワイド位置の状態を示しており、図８はレンズ鏡筒２１がテレ位置の状態を示している。上述の機構を適用したカメラでは図７、図８のようにレンズ鏡筒２１のズーム動作と連動してストロボユニット１が動作し、ストロボの照射角を変化させることができる。
【００２２】
（第２の実施例）
以下に本発明の第２の実施例について説明する。
【００２３】
図９は本発明の第２実施例を適用したカメラのレンズ鏡筒とファインダ構成している部品の斜視図である。レンズ鏡筒２１は撮影レンズのズーム動作に伴い、直進ピン２１１が直進溝２１２に沿ってカメラ前方に移動する。レンズ鏡筒２１の上部にカム板２３が設けられており、ズームすると直進ピン２１１の動作により図中右方向へ移動する。カム板２３には、ファインダーレンズ駆動カム２３２が設けられている。
【００２４】
ファインダユニットは対物レンズ７１、７２、７３、プリズム７４、７５、プリズム保持部材６２、接眼レンズ７６で構成され、それらを保持するファインダ保持板６１にそれぞれ組み込まれる。
【００２５】
対物レンズ７２、７３は変倍時に光軸方向へ可動となっている。図１０、図１１は対物レンズ７３の詳細を示している。対物レンズ７３は光学的性能を有するレンズ部７３３と、カム２３２に係合する駆動ピン７３１と、複数の突起７３２（当接部）が一体的に設けられている。この突起７３２はファインダ保持板６１のレール６１１と係合する。また、対物レンズ７２も同様の形状を有し、他のレールと係合する。
【００２６】
図１２はファインダを正面からみた断面図である。対物レンズ７３の駆動ピン７３１は、カム板２３のファインダーレンズ駆動カム２３２と係合する。レール６１１には対物レンズ７３の当接部７３２の上部を覆うように規制リブ６１１ａが設けられている。この規制リブ６１１ａは突起７３２が上方へ動くことを規制する。そのため、対物レンズ７３は上方への動作規制がなされる。
【００２７】
図１３は対物レンズ７２、７３を上面側から見た図である。レール６１１の規制リブ６１１ａは、一部分に切り欠き６１１ｂが設けられている。この対物レンズ７２、７３をファインダ保持板６１に組み込む時は、突起７３２がこの切り欠き６１１ｂと合致するように上方から対物レンズ７２、７３を組み込むことができる。対物レンズ７３を組み込むと駆動ピン７３１がカム板２３のファインダーレンズ駆動カム２３２に係合する。
【００２８】
対物レンズ７２に関しても同様にファインダーレンズ駆動カム２３２に係合する。この状態からカム板２３を図１３中右方向へスライドさせると、駆動ピン７３１がカム板２３のファインダーレンズ駆動カム２３２にガイドされレール６１１に沿ってカメラ後方（図１３中の上方向）へ移動する。カメラの使用状態（レンズ鏡筒２１が沈胴、またはワイドからテレの間）では対物レンズ７２、７３はそれぞれ突起７２２、７３２が切り欠き２２１ｂと合致しない範囲で動作する。そのため、組み込み時は上方から突起７２２、７３２が切り欠き６１１ｂとが合致するようにファインダ保持板２２に組み込まれ、組み込みが終了してカム板２３をカメラ使用状態にした後、突起７２２、７３２は規制リブ６１１ａによって対物レンズ７２、７３はカメラ上下方向の動作を規制される。
【００２９】
したがってカメラの使用状態ではレール６１１に沿って光軸前後に滑らかに進退すると共に、カメラ上下方向の移動規制が設けられているので、ズーム動作時の上下方向のがたつきを抑えることができる。
【００３０】
図１４はレンズ鏡筒２１がワイド位置の状態を示しており、図１５はレンズ鏡筒２１がテレ位置の状態を示している。上述の機構を適用したカメラでは図１４、図１５のようにレンズ鏡筒２１のズーム動作と連動して対物レンズ７２、７３が動作し、ファインダの視野を変化させることができる。
【００３１】
【発明の効果】
以上説明したように本発明の請求項１を適用したカメラのズームストロボ装置では、ストロボユニットを光軸方向へガイドするガイド部とカメラ上下方向への動作を規制する規制部を本体を構成する部品に一体的に構成するので、部品点数の削減に寄与し、かつ光軸方向へストロボユニットが進退する過程で当接部のがたつきなどによりユニット全体が傾いたり、駆動負荷の増大を招くおそれのないズームストロボ装置を提供することができる。
【００３２】
請求項２を適用したカメラのズームストロボ装置では、レンズ鏡筒と連動して動作するカムにより動作するので、部品点数の削減に寄与し、かつ光軸方向へストロボユニットが進退する過程で当接部のがたつきなどによりユニット全体が傾いたり、駆動負荷の増大を招くおそれのないズームストロボ装置を提供することができる。
【００３３】
請求項３〜５を適用したカメラのズームストロボ装置では、ストロボ保持部材に設けられた当接部が駆動ピンに対して略対称または駆動ピンを取り囲むように配置されるので、レンズ鏡筒の駆動力を伝達する駆動ピンと直進ガイドされる当接部とが近接してバランス良く配置されるのでストロボユニット全体に余計なモーメント力がかからなくて済み、光軸方向へストロボユニットが進退する過程で係合部のがたつきなどによりユニット全体が傾いたり、駆動負荷の増大を招くおそれのないズームストロボ装置を提供することができる。
【００３４】
請求項６〜７を適用したカメラのズームストロボ装置では、当接部とガイド手段が点接触となっており、または当接部は略円弧形状を有し、その頂点でガイド部と接するように構成されるので、接触面積が小さく、摩擦が最小限に抑えられる。そのため軸方向へストロボユニットが進退する過程での駆動負荷の増大を防ぐことができる。
【００３５】
請求項８を適用したカメラのズームストロボ装置では、当接部がストロボ保持部材の下面側に設けられているので、レンズ鏡筒と共に動作するカム部材と近接して配置することができ、カメラの小型化に有効である。
【００３６】
請求項９を適用したカメラのズームストロボ装置では、カメラ本体を構成する部材の規制部が、ストロボ保持部材の当接部の形状と合致するような切り欠き形状を有し、ストロボ保持部材がワイドからテレの動作区間内でカメラ上下方向への移動を規制する形状を有しているので、ストロボ保持部材を組み込む時には、ストロボ保持部材の当接部をカメラ本体を構成する部材の規制部に設けられた切り欠きと合致させるようにカメラ上方から組み込み、組み込み後にカム部材をカメラの使用状態となる、ワイド〜テレ間にスライドさせるとストロボ保持部材には上下方向への移動規制がなされる。そのため、組み込み方法が簡単となり、組み込み後は上下方向にがたつきを抑えることができる。
【００３７】
また、本発明の請求項１０を適用したカメラのズームファインダ装置では、ファインダ対物レンズを光軸方向へガイドするガイド部とカメラ上下方向への動作を規制する規制部を本体を構成する部品に一体的に構成するので、部品点数の削減に寄与し、かつ光軸方向へファインダ対物レンズが進退する過程で係合部のがたつきなどによりレンズ全体が傾いたり、駆動負荷の増大を招くおそれのないズームファインダ装置を提供することができる。
【００３８】
請求項１１を適用したカメラのズームファインダ装置では、レンズ鏡筒と連動して動作するカムにより動作するので、部品点数の削減に寄与し、かつ光軸方向へファインダ対物レンズが進退する過程で係合部のがたつきなどによりファインダ対物レンズ全体が傾いたり、駆動負荷の増大を招くおそれのないズームファインダ装置を提供することができる。
【００３９】
また、請求項１２〜１４を適用したカメラのズームファインダ装置では、ファインダ対物レンズに設けられた当接部が駆動ピンに対して略対称または駆動ピンを取り囲むように配置されるので、レンズ鏡筒の駆動力を伝達する駆動ピンと直進ガイドされる当接部とが近接してバランス良く配置されるのでファインダ対物レンズ全体に余計なモーメント力がかからなくて済み、光軸方向へファインダ対物レンズが進退する過程で係合部のがたつきなどによりレンズ全体が傾いたり、駆動負荷の増大を招くおそれのないズームファインダ装置を提供することができる。
【００４０】
請求項１５〜１６を適用したカメラのズームファインダ装置では、当接部とガイド手段が点接触となっており、または当接部は略円弧形状を有し、その頂点でガイド部と接するように構成されるので、接触面積が小さく、摩擦が最小限に抑えられる。そのため軸方向へファインダ対物レンズが進退する過程での駆動負荷の増大を防ぐことができる。
【００４１】
請求項１７を適用したカメラのズームファインダ装置では、当接部がファインダ対物レンズの下面側に設けられているので、レンズ鏡筒と共に動作するカム部材と近接して配置することができ、カメラの小型化に有効である。
【００４２】
請求項１８を適用したカメラのズームファインダ装置では、カメラ本体を構成する部材の規制部が、ファインダ対物レンズの当接部の形状と合致するような切り欠き形状を有し、ファインダ対物レンズがワイドからテレの動作区間内でカメラ上下方向への移動を規制する形状を有しているので、ファインダ対物レンズを組み込む時には、ファインダ対物レンズの当接部をカメラ本体を構成する部材の規制部に設けられた切り欠きと合致させるようにカメラ上方から組み込み、組み込み後にカム部材をカメラの使用状態となる、ワイド〜テレ間にスライドさせるとファインダ対物レンズには上下方向への移動規制がなされる。そのため、組み込み方法が簡単となり、組み込み後は上下方向にがたつきを抑えることができる。
【図面の簡単な説明】
【図１】本発明の第１実施例を適用したカメラの構成部品を示した斜視図である。
【図２】本発明の第１実施例を適用したストロボユニットの斜視図である。
【図３】同じく、本発明の第１実施例を適用したストロボユニットの斜視図である。
【図４】本発明の第１実施例を適用したストロボユニットの側面から見た断面図である。
【図５】本発明の第１実施例を適用したストロボユニットの正面から見た断面図である。
【図６】本発明の第１実施例を適用したカメラの構成部品を示した上面図である。
【図７】本発明の第１実施例を適用したカメラの構成部品を示した斜視図である。
【図８】同じく、本発明の第１実施例を適用したカメラの構成部品を示した斜視図である。
【図９】本発明の第２実施例を適用したカメラの構成部品を示した斜視図である。
【図１０】本発明の第２実施例を適用したファインダ対物レンズの斜視図である。
【図１１】同じく、本発明の第２実施例を適用したファインダ対物レンズの斜視図である。
【図１２】本発明の第２実施例を適用したファインダユニットの正面から見た断面図である。
【図１３】本発明の第２実施例を適用したファインダユニットの上面図である。
【図１４】本発明の第２実施例を適用したカメラの構成部品を示した斜視図である。
【図１５】同じく、本発明の第２実施例を適用したカメラの構成部品を示した斜視図である。
【図１６】従来のカメラのストロボユニットを示した上面図である。
【符号の説明】
１　ストロボユニット
１１　パネル
１２　レンズ
１３　キセノン管
１４　反射傘
１５　ストロボ保持部材
１６　押さえゴム
２１　レンズ鏡筒
２２　ファインダ保持板
２３　カム板
６１　ファインダ保持板
７１〜７３　対物レンズ
７４、７５　プリズム
１５１　駆動ピン
１５２、１５３　突起
２２１　レール（ガイド手段）
２２１ａ　規制リブ（規制手段）
６１１　レール（ガイド手段）
６１１ａ　規制リブ（規制手段）
７３１　駆動ピン
７３２　突起
【図１】
2004037629.tif 000003
【図２】
2004037629.tif 000004
【図３】
2004037629.tif 000005
【図４】
2004037629.tif 000006
【図５】
2004037629.tif 000007
【図６】
2004037629.tif 000008
【図７】
2004037629.tif 000009
【図８】
2004037629.tif 000010
【図９】
2004037629.tif 000011
【図１０】
2004037629.tif 000012
【図１１】
2004037629.tif 000013
【図１２】
2004037629.tif 000014
【図１３】
2004037629.tif 000015
【図１４】
2004037629.tif 000016
【図１５】
2004037629.tif 000017
【図１６】
2004037629.tif 000018